(57)【要約】【課題】照射方向の変更が可能なＬＥＤランプ１０，２０，３０を提供する。【解決手段】グローブ１３を手でねじ込んで突起物１３ｃを反射面１７ｂに対して前進させ、反射面１７ｂに圧接させる。これに伴い、反射面１７ｂが分割線１７ｄから分割されて拡開するので、反射面１７ｂの反射角度が変化する。若しくはグローブ２２を手でねじ込んで突起物２２ｂを反射面２１ｂに対して前進させ、反射面２１ｂに圧接させる。これに伴い、軟質プラスチック製の導光部材２１が光の入射方向に沿って圧縮される。そのため、反射面２１ｂの反射角度が変化する。反射面の反射角度の変化により、ＬＥＤチップ１４の光の拡散方向が変化し、ＬＥＤランプ１０の照射方向が変化する。【選択図】図３
2013054828.tif 000002
【特許請求の範囲】
【請求項１】
放熱体と、口金と、透光性のガラス又はプラスチック材から成るグローブと、ＬＥＤチップを実装したモジュール基板と、ＬＥＤチップに電力を供給する点灯回路と、先端部に反射面を形成した導光部材を備え、放熱体の一端にモジュール基板を固定するとともに、導光部材の基端部がＬＥＤチップに対向するように導光部材を放熱体に固定し、導光部材を覆うようにグローブを放熱体に装着し、点灯回路を放熱体内に取り付け、点灯回路と口金を電気的に接続し、ＬＥＤチップの発光時、ＬＥＤチップの光が導光部材の基端部から導光部材中に入射して反射面へ導かれ、反射面で導光部材の先端部周囲に拡散されるようにしたＬＥＤランプであって、
前記導光部材の反射面に対して進退する反射角度変更部材をグローブの内部に設け、
前記反射面を少なくとも二つに分割し、前記反射角度変更部材が反射面に圧接したとき反射面が分割面から拡開することにより反射角度が変化するようにしたことを特徴とする特徴とする。
【請求項２】
放熱体と、口金と、透光性のガラス又はプラスチック材から成るグローブと、ＬＥＤチップを実装したモジュール基板と、ＬＥＤチップに電力を供給する点灯回路と、先端部に反射面を形成した導光部材を備え、放熱体の一端にモジュール基板を固定するとともに、導光部材の基端部がＬＥＤチップに対向するように導光部材を放熱体に固定し、導光部材を覆うようにグローブを放熱体に装着し、点灯回路を放熱体内に取り付け、点灯回路と口金を電気的に接続し、ＬＥＤチップの発光時、ＬＥＤチップの光が導光部材の基端部から導光部材中に入射して反射面へ導かれ、反射面で導光部材の先端部周囲に拡散されるようにしたＬＥＤランプであって、
前記導光部材の反射面に対して進退する反射角度変更部材をグローブの内部に設け、
前記導光部材を軟質プラスチックで成形し、前記反射角度変更部材が反射面に圧接したとき導光部材が光の入射方向に沿って圧縮されることにより反射角度が変化するようにしたことを特徴とする。
【請求項３】
前記反射角度変更部材として、前記グローブの頂部の内面に突起物を一体に形成し、
かつ前記グローブを前記放熱体に進退可能にねじ付けたことを特徴とする請求項１又は２に記載のＬＥＤランプ。
【請求項４】
前記反射角度変更部材として、ねじ部材を前記グローブの頂部に進退可能にねじ付けたことを特徴とする請求項１叉は２に記載のＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプは熱伝導性に優れたアルミニウムなどの金属性放熱体と、放熱体の一端に取り付けた口金と、半球状の頂部を有し、放熱体の他端に装着した透光性のガラス又はプラスチック材から成るグローブと、ＬＥＤチップを実装したモジュール基板と、ＬＥＤチップに電力を供給する点灯回路とを備え、モジュール基板と点灯回路を放熱体に取り付けてＬＥＤチップをグローブで覆い、点灯回路と口金を電気的に接続した構成を備えている。
【０００３】
ところで、白熱電球の光源であるフィラメントの発する光は周囲に拡散し、周囲を均等に照らすことができるが、ＬＥＤランプの光源として用いられるＬＥＤチップの発する光は高い指向性を有し、前方の狭い領域を強い光で照射するという特性を備えている。そのため、ＬＥＤランプを白熱電球の代替品として使用するには、ＬＥＤチップの発する光をランプの周囲に拡散させる光拡散手段をＬＥＤランプに設けることが不可欠である。
【０００４】
光拡散手段を備えたＬＥＤランプの一形式として、先端部に反射面を形成した導光部材を光拡散手段として備え、この導光部材の基端部がＬＥＤチップに対向するように導光部材を放熱体に固定し、導光部材を覆うようにグローブを放熱体に装着したＬＥＤランプが実用に供されている。
【０００５】
このＬＥＤランプによれば、ＬＥＤチップの発光時、ＬＥＤチップの光が導光部材の基端部から導光部材中に進入して反射面へ導かれ、反射面で反射して導光部材の先端部周囲に拡散される。
【先行技術文献】
【特許文献】
【０００６】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００７】
上述した従来のＬＥＤランプのおける導光部材では、天井や壁面に設けられたソケットにＬＥＤランプを装着した場合、ＬＥＤランプの照射方向は導光部材の反射面の反射角度によって一義的に定まり、照射方向を変えることができない。
本発明はかかる問題点に鑑み、照射方向の変更が可能なＬＥＤランプを提供することを目的とする。
【課題を解決するための手段】
【０００８】
請求項１に記載の発明は、放熱体と、口金と、透光性のガラス又はプラスチック材から成るグローブと、ＬＥＤチップを実装したモジュール基板と、ＬＥＤチップに電力を供給する点灯回路と、先端部に反射面を形成した導光部材を備え、放熱体の一端にモジュール基板を固定するとともに、導光部材の基端部がＬＥＤチップに対向するように導光部材を放熱体に固定し、導光部材を覆うようにグローブを放熱体に装着し、点灯回路を放熱体内に取り付け、点灯回路と口金を電気的に接続し、ＬＥＤチップの発光時、ＬＥＤチップの光が導光部材の基端部から導光部材中に入射して反射面へ導かれ、反射面で導光部材の先端部周囲に拡散されるようにしたＬＥＤランプであって、
前記導光部材の反射面に対して進退する反射角度変更部材をグローブの内部に設け、
前記反射面を少なくとも二つに分割し、前記反射角度変更部材が反射面に圧接したとき反射面が分割面から拡開することにより反射角度が変化するようにしたことを特徴とする特徴とする。
【０００９】
請求項２に記載の発明は、放熱体と、口金と、透光性のガラス又はプラスチック材から成るグローブと、ＬＥＤチップを実装したモジュール基板と、ＬＥＤチップに電力を供給する点灯回路と、先端部に反射面を形成した導光部材を備え、放熱体の一端にモジュール基板を固定するとともに、導光部材の基端部がＬＥＤチップに対向するように導光部材を放熱体に固定し、導光部材を覆うようにグローブを放熱体に装着し、点灯回路を放熱体内に取り付け、点灯回路と口金を電気的に接続し、ＬＥＤチップの発光時、ＬＥＤチップの光が導光部材の基端部から導光部材中に入射して反射面へ導かれ、反射面で導光部材の先端部周囲に拡散されるようにしたＬＥＤランプであって、
前記導光部材の反射面に対して進退する反射角度変更部材をグローブの内部に設け、
前記導光部材を軟質プラスチックで成形し、前記反射角度変更部材が反射面に圧接したとき導光部材が光の入射方向に沿って圧縮されることにより反射角度が変化するようにしたことを特徴とする。
【００１０】
請求項３に記載の発明は請求項１又は２に記載のＬＥＤランプにおいて、前記反射角度変更部材として、前記グローブの頂部の内面に突起物を一体に形成し、
かつ前記グローブを前記放熱体に進退可能にねじ付けたことを特徴とする。
【００１１】
請求項４に記載の発明は請求項１叉は２に記載のＬＥＤランプにおいて、前記反射角度変更部材として、ねじ部材を前記グローブの頂部に進退可能にねじ付けたことを特徴とする。
【発明の効果】
【００１２】
請求項１に記載の発明によれば、反射角度変更部材を導光部材の反射面に圧接させると、反射面が分割面から拡開するので、反射面の反射角度が変化する。そのため、ＬＥＤランプの照射方向を変えることができる。
【００１３】
請求項２に記載の発明によれば、反射角度変更部材を導光部材の反射面に圧接させると、導光部材が圧縮されるので、反射面の反射角度が変化する。そのため、ＬＥＤランプの照射方向を変えることができる。
【００１４】
請求項３に記載の発明によれば、グローブを放熱体に対してねじ込むことにより突起物を導光部材の反射面に圧接させ、これによりＬＥＤランプの照射方向を変えることができる。
ちなみに、ＬＥＤランプは点灯しても白熱電球のようにグローブが高温に加熱されることはないので、グローブに手を触れても火傷するおそれはない。このため、ＬＥＤランプの点灯中であっても、手でもってグローブをねじ回してＬＥＤランプの照射方向を変えることができる。
【００１５】
請求項４に記載の発明によれば、ねじ部材をねじ込むことにより導光部材の反射面に圧接させ、これによりＬＥＤランプの照射方向を変えることができる。
【図面の簡単な説明】
【００１６】
【図１】本発明の第１実施例に係るＬＥＤランプであってグローブを分離した断面図である。
【図２】本発明の第１実施例に係るＬＥＤランプの主要部を示す斜視図である。
【図３】本発明の第１実施例に係るＬＥＤランプを示す断面図である。
【図４】本発明の第１実施例に係るＬＥＤランプの反射面を示す説明図である。
【図５】本発明の第１実施例に係るＬＥＤランプであって、反射面が拡開された状態を示す断面図である。
【図６】本発明の第２実施例に係るＬＥＤランプであってグローブを分離した断面図である。
【図７】本発明の第２実施例に係るＬＥＤランプを示す断面図である。
【図８】本発明の第２実施例に係るＬＥＤランプであって、導光部材が圧縮された状態を示す断面図である。
【図９】本発明の第３実施例に係るＬＥＤランプを示す断面図である。
【実施例１】
【００１７】
以下に本発明を図面に基づき説明するに、図１、図２及び図３には本発明の第１実施例に係るＬＥＤランプ１０が示されている。当該ＬＥＤランプは放熱体１１と、口金１２と、透光性のグローブ１３と、ＬＥＤチップ１４を実装したモジュール基板１５と、ＬＥＤチップ１４に電力を供給する点灯回路１６及び導光部材１７を備えている。
【００１８】
放熱体１１は熱伝導性及び放熱性に優れたアルミニウム等の金属材料から成り、逆円錐台形の外観を備えた筒構造を有し、外周部には表面積を増加して放熱効果を高めるため多数のフィン１１ａが形成されている。放熱体１１の上端部１１ｂには、モジュール基板１５が固定されている。また、放熱体１１の下端部に口金１２が取付けられている。この口金１２は国際規格に則った形状、寸法を有する。
【００１９】
放熱体１１の内部には、点灯回路１６が内蔵され、モジュール基板１５と点灯回路１６がリード線１８で接続されている。そして、点灯回路１６と口金１２がリード線（図示略）で電気的に接続されている。
【００２０】
放熱体１１の上端部１１ｂに固定したモジュール基板１５には柱状の導光部材１７が立設され固定されている。導光部材１７は弾性を有するプラスチック成形品で先端部に反射部１７ａを有し、反射部１７の内面に四角錐の形状を有する反射面１８ａが形成されている。一方、導光部材１７の基端部には凹部１７ｃが形成され、この凹部１７ｃをＬＥＤチップ１４に被せるようにして導光部材１７がモジュール基板１５に取付けられている。凹部１７ｃに対向配置したＬＥＤチップ１４が発する光は凹部１７ｃから導光部材１７中に入射し、反射面１７ｂで反射されて、反射部１７ａの周囲に拡散する。
【００２１】
図４の（Ａ）に示すように、四角錐を形成する各反射面１７ｂは隣接する反射面１７ｂの境界線に沿って形成した分割線１７ｄで拡開可能に分割されている。この分割線１７ｄは反射面１７ｂからＬＥＤチップ１４の光の入射方向と平行に導光部材１７の中間部まで延びている。そして、プラスチックの弾性により隣接する反射面１７ｂ同士が分割線１７ｄを介して接している。
【００２２】
グローブ１３は透明若しくは半透明のガラス叉はプラスチック成形品で、半球状の頂部１３ａと下端開口１３ｂを有する。半球状の頂部１３ａの内面の中央部に先端が尖った突起物１３ｃが一体成形されている。また、下端開口１３ｂの外周部にねじ１３ｄが形成されている。一方、放熱体１１の上端部１１ｂの内周面には、グローブ１３のねじ１３ｄに螺合するねじ１１ｃが形成されている。グローブ１３は下端開口１３ｂを放熱体１１にねじ付けることにより、放熱体１１に進退可能に装着されている。グローブ１３の突起物１３ｃは、グローブ１３を放熱体１１に装着したとき、図３に示すように導光部材１７の反射面１７ｂで形成された四角錐の頂角部に対向するように設けられている。
【００２３】
第１実施例に係るＬＥＤランプ１０の構造は以上の通りであって、図３に示すようにグローブ１３を、突起物１３ｃが導光部材１７の反射面１７ｂの頂角部に近接若しくは当接するように放熱体１１にねじ付ける。この状態では、導光部材１７の有する弾力により反射面１７ｂが閉じている。
【００２４】
ＬＥＤランプ１０の口金１２を天井や壁面に設けられたソケットに差し込んでＬＥＤランプ１０をソケットに取り付けると、ソケットから電力が点灯回路１６を介してＬＥＤチップ１４に供給され、ＬＥＤチップ１４が発光する。ＬＥＤチップ１４の光は導光部材１７の凹部１７ｃから導光部材１７中に入射し、反射部１７ａの反射面１７ｂで反射して反射部１７ａの周囲に拡散される。
【００２５】
ＬＥＤランプ１０の照射方向を変えるには図５に示すように、グローブ１３を手でねじ込んで突起物１３ｃを反射面１７ｂに対して前進させ、反射面１７ｂに圧接する。これに伴い、図４の（Ｂ）に示すように、反射面１７ｂが分割線１７ｄから分割されて拡開するので、反射面１７ｂの反射角度が変化する。このため、ＬＥＤチップ１４の光の拡散方向が変化し、ＬＥＤランプ１０の照射方向が変化する。
【００２６】
ねじ込んだグローブ１３を手で回して後退させると、拡開していた反射面１７ｂはプラスチックの弾性により図４（Ａ）に示すように再び閉じる。
ちなみに、ＬＥＤランプ１０は点灯しても白熱電球のようにグローブ１３が高温に加熱されることはないので、グローブ１３に手を触れても火傷するおそれはない。このため、ＬＥＤランプ１０の点灯中であっても、手でもってグローブ１３をねじ回してＬＥＤランプ１０の照射方向を変えることができる。
【実施例２】
【００２７】
本発明の第２実施例に係るＬＥＤランプ２０を図５、図６及び図７に示す。当該ＬＥＤランプ２０の導光部材２１は軟質プラスチック成形品で先端部に反射部２１ａを有し、反射部２１ａの内面に逆円錐の形状を有する反射面２１ｂが形成されている。導光部材２１の基端部には凹部２１ｃが形成され、この凹部２１ｃをＬＥＤチップ１４に被せるようにして導光部材２１がモジュール基板１５に取付けられている。凹部２１ｃに対向配置したＬＥＤチップ１４が発する光は凹部２１ｃから導光部材２１中に入射し、反射面２１ｂで反射されて、反射部２１ａの周囲に拡散する。
ちなみに、第１実施例に係るＬＥＤランプ１０の反射面１７ｂは分割線１７ｄで拡開可能に分割されているが、第２実施例に係るＬＥＤランプ２０の導光部材２１の反射面２１ｂは分割されていない。
【００２８】
一方、グローブ２２の半球状の頂部２２ａの内面の中央部に先端が丸みを帯びた突起物２２ｂが一体成形されている。下端開口２２ｃの外周部には、放熱体１１の上端部の内周面に形成したねじ１１ｃに螺号するねじ２２ｄが形成されている。
なお、本実施例に係るＬＥＤランプ２０の他の構成は第１実施例に係るＬＥＤランプ１０と同じであるので、同一の構成要素に同一の符号を付して説明を省略する。
【００２９】
第２実施例に係るＬＥＤランプ２０の構造は以上の通りであって、図７に示すようにグローブ２２を、突起物２２ｂが反射面２１ｂの頂角部に近接若しくは当接するように放熱体１１にねじ付ける。
ＬＥＤランプ２０の口金１２を天井や壁面に設けられたソケットに差し込んでＬＥＤランプ２０をソケットに取り付けると、ＬＥＤチップ１４が発光する。ＬＥＤチップ１４の光は導光部材２１の凹部２１ｃから導光部材２１中に入射し、反射部２１ａの反射面２１ｂで反射して反射部２１ａの周囲に拡散される。
【００３０】
ＬＥＤランプ２０の照射方向を変えるには図８に示すように、グローブ２２を手でねじ込んで突起物２２ｂを反射面２１ｂに対して前進させ、反射面２１ｂに圧接する。これに伴い、軟質プラスチック製の導光部材２１が光の入射方向に沿って圧縮される。そのため、反射面２１ｂの反射角度が変化し、ＬＥＤランプ２０の照射方向が変化する。
【００３１】
ねじ込んだグローブを手で回して後退させると、圧縮されていた導光部材は伸長し、図６に示す原形に復元する。
【実施例３】
【００３２】
本発明の第３実施例に係るＬＥＤランプ３０を図９に示す。当該ＬＥＤランプ３０はプラスチック製の球形グローブ３１を備えている。このグローブ３１の頂部３１ａにはねじ部材３２が進退可能に組み付けられ、グローブ３１内に突出している。グローブ３１の下端開口には、放熱体１１の上端内周面に形成したねじ１１ｃに螺号するねじ３１ｂが形成されている。
なお、本実施例に係るＬＥＤランプ３０の他の構成は第２実施例に係るＬＥＤランプ２０と同じであるので、同一の構成要素に同一の符号を付して説明を省略する。
【００３３】
本実施例に係るＬＥＤランプ３０では、ねじ部材３２をねじ込んで反射面２１ｂに対して前進させ、反射面２１ｂに圧接すると、軟質プラスチック製の導光部材２１が光の入射方向に沿って圧縮される。そのため、反射面２１ｂの反射角度が変化し、ＬＥＤランプ３０の照射方向が変化する。
なお、第３実施例に係るＬＥＤランプ３０では第２実施例に係るＬＥＤランプ２０と同じ導光部材２１を設けたが、第１実施例に係るＬＥＤランプ１０と同じ導光部材１７を設け、ねじ部材３２によって反射面１７ｂを拡開させてＬＥＤランプ３０の照射方向を変えることもできる。
【符号の説明】
【００３４】
１０，２０，３０…ＬＥＤランプ
１１…放熱体
１１ｂ…上端部
１１ｃ…ねじ
１２…口金
１３，２２，３１…グローブ
１３ａ，２２ａ，３１ａ…頂部
１３ｂ，２２ｃ…下端開口
１３ｃ，２２ｂ…突起物
１３ｄ，２２ｄ，３１ｂ…ねじ
１４…ＬＥＤチップ
１５…モジュール基板
１６…点灯回路
１７，２１…導光部材
１７ａ，２１ａ…反射部
１７ｂ，２１ｂ…反射面
１７ｃ，２１ｃ…凹部
１７ｄ…分割線
【図１】
2013054828.tif 000003
【図２】
2013054828.tif 000004
【図３】
2013054828.tif 000005
【図４】
2013054828.tif 000006
【図５】
2013054828.tif 000007
【図６】
2013054828.tif 000008
【図７】
2013054828.tif 000009
【図８】
2013054828.tif 000010
【図９】
2013054828.tif 000011